(57)【要約】  プレス内で板金加工品をカットフリー成形するためのくさび形伝動工具が、スライダベッド（２、２’）とドライバ（３、３’）との間で、成形工具及び／又は工具を支持し予め定められた角度で摺動可能な作動スライダ（６、６’）を含んでいる。無段階の角度調整可能な作動スライダを達成するために、各々、スライダベッド（２、２’）及びドライバ（３、３’）には、又は作動スライダ（６、６’）及びドライバ（３；３’）には、各々、双方でセグメントディスク（８、８’；９、９’）が無段階で回転角度運動可能に配置されていること、及び、各々ペアとして回転軸線（１０、１１）上に配置されているセグメントディスク（８、８’；９、９’）が弦状の境界部に沿って、これらの接続部内に特に作動スライダ（６、６’）のための一致する直線形ガイド（４、５）が配置されているように、互いに相対回転不能に接続されていることが提案される。
2007504008.tif 000002
【特許請求の範囲】
【請求項１】
プレス内で板金加工品をカットフリー成形及び／又はカット成形するための互いに位置調整可能な要素を備えたくさび形伝動工具であって、
このくさび形伝動工具が、要素（３、６）として、プレス側で制御される駆動装置とドライバ（３、３’）との間で摺動可能に配置されていて成形工具及び／又は工具を支持する作動スライダ（６、６’）を含み、
この作動スライダ（６、６’）が、旋回運動可能に配置されているドライバ側の直線形ガイドを介し、ドライバ（３、３’）に対して相対的に無段階で角度調整可能である、前記くさび形伝動工具において、
他の要素が、作動スライダ（６、６’）に対して駆動作用するスライダベッド（２、２’）として設けられていて、
要素（２、３；３’、６’）の各々２つには、各々、双方でセグメントディスク（８、８’；９、９’）が無段階で回転角度運動可能に配置されていること、及び、
各々ペアとして回転軸線（１０、１１）上に配置されている各要素（２、３；３’、６’）のセグメントディスク（８、８’；９、９’）が弦状の境界部（１２、１３）に沿って、これらの接続部（１４、１５）内に各々の要素（２、３；３’、６’）及び各々の作動スライダ（６、６’）のための一致する直線形ガイド（４、５）が配置されているように、互いに相対回転不能に接続されていること
を特徴とするくさび形伝動工具。
【請求項２】
０°からほぼ５５°までのドライバ側の作動角度範囲と、スライダベッド側で対応的に適合可能な駆動角度範囲とを用い、作動スライダ（６）を無段階で角度調整するために、プレス側で制御されるスライダベッド（２）、並びにドライバ（３）が、各々、無段階で回転角度運動可能なセグメントディスク（８、９）のペアで装備されていて、
作動スライダ（６）が、一致する直線形ガイド（４、５）を介し、セグメントディスク・ペア（８；９）に対して相対的に、プレス制御されて摺動可能であること
を特徴とする、請求項１に記載のくさび形伝動工具。
【請求項３】
５０°からほぼ８５°までのドライバ側の作動角度範囲と、スライダベッド側で対応的に適合可能な駆動角度範囲とを用い、作動スライダ（６’）を無段階で角度調整するために、作動スライダ（６’）もドライバ（３’）も、各々、無段階で回転角度運動可能なセグメントディスク（８’、９’）のペアで装備されていて、
作動スライダ（６’）内に配置されているセグメントディスク・ペア（８’）を介し、作動スライダ（６’）が、プレススタンプ（１６）の往復方向（矢印「ｃ」）に対してスライダベッド（２’）において横方向に指向されている直線形ガイド（４）を介し、及び、ドライバ側のセグメントディスク・ペア（９’）内の直線形ガイド（５）を介し、摺動可能に配置されていること
を特徴とする、請求項１に記載のくさび形伝動工具。
【請求項４】
比較的大きな直径のセグメントディスク（８、８’；９、９’）が、各々、予め定められた軸方向の強度をもつそれらの外周部を介し、各々の要素（２、３；３’、６’）内で円弧形状に形成されているガイド（１７、１８、１９）内で回転角度運動可能に支持されていること
を特徴とする、請求項２又は３に記載のくさび形伝動工具。
【請求項５】
少なくとも１つの要素（２、３；３’、６’）のセグメントディスク（８、８’；９、９’）が、予め定められた唯一の作動方向に対して固定された作動角度で、要素（２、３；３’、６’）において取外し可能又は取外し不能にフィックスされていること
を特徴とする、請求項１〜４のいずれか一項に記載のくさび形伝動工具。
【請求項６】
要素（２、３；３’、６’）のセグメントディスク（８、８’；９、９’）が、力拘束的／摩擦拘束的に及び／又は形状拘束的な遮断装置を用い、無段階の各角度設定として、取外し可能にフィックスされ得ること
を特徴とする、請求項１〜４のいずれか一項に記載のくさび形伝動工具。
【請求項７】
セグメントディスク（８、９）が、各々、各々クランプ（２１）と滑り運動可能に協働する追加的な弓形ガイド（２０）を有し、
ドライバ（３）のセグメントディスク（９）における作動スライダ（６）の保持のために、作動スライダ（６）には、セグメントディスク（９）に配置されているクランプ（２３）と滑り運動可能な接続状態にある直線形ガイドレール（２２）が装備されていて、
作動スライダ（６）及びセグメントディスク（９）の一致する直線形ガイド（５）が横断面でＶ字形状の側面形状を有すること
を特徴とする、請求項２、４〜６に記載のくさび形伝動工具。
【請求項８】
スライダベッド（２）のセグメントディスク（８）の接続部（１４）が一部材式の接続部材（２４）として構成されていて、
この接続部材（２４）が、平坦なスライドレール（２５）を介在し、セグメントディスク（８）を作動スライダ（６）に対して支持すること、及び、
作動スライド（６）が、セグメントディスク（８）に対して相対的にリターン装置（２６）を用いて出発ポジションにもたらされていること
を特徴とする、請求項２〜７のいずれか一項に記載のくさび形伝動工具。
【発明の詳細な説明】
【技術分野】
【０００１】
本発明は、プレス内で板金加工品を特にカットフリー成形するための互いに位置調整可能な要素を備えたくさび形伝動工具に関し、このくさび形伝動工具は、要素として、プレス側で制御される駆動装置とドライバとの間で摺動可能に配置されていて成形工具及び／又は工具を支持する作動スライダを含み、この作動スライダは、旋回運動可能に配置されているドライバ側の直線形ガイドを介し、ドライバに対して相対的に無段階で角度調整可能である。
【背景技術】
【０００２】
この種のくさび形伝動工具は、くさび形スライダとも称されるが、米国の特許文献１に示されて説明されている。そこでは、穿孔スタンプを具備した作動スライダが、縦長のガイドピストンとして、ドライバとして構成されているスリーブ状の直線形ガイド内に配置されていて、この際、この直線形ガイドは、その都度の要求に応じ、比較的小さな鋭角範囲に渡って無段階で調整可能である。この小さな調整角度範囲は、その理由を、プレススタンプにより付勢されるプランジャを備えたプレス側で制御される駆動装置にもち、そのプランジャの方は、穿孔スタンプの装備された作動スライダを操作するためにトグルレバーに作用する。それらのトグルレバーのうち１つは、別のトグルレバー、従って作動スライダを延ばして移動させるために、スリーブ状の直線形ガイドの閉じた端部に対して支持されている。駆動装置の運動機構は磨耗及び摩擦し易く、角度調整装置の機構に負荷を及ぼす。
【０００３】
打抜きピンの装備された作動スライダ用の角度調整可能な直線形ガイドを備えた他のくさび形伝動工具が他の特許文献２に示されて説明されていて、そこでは角度調整可能性が、くさび形伝動工具のベースプレートに対して旋回可能に配置されているドライバを介して達成されている。このためにドライバ及びベースプレートは一致する円弧部分をもって形成されていて、この際、その都度の鋭角をロックするためにそれらには互いに係合するスプラインが備えられている。この際、作動スライダ上に摺動して作用する駆動装置は、プレススタンプにより制御されるスライダベッドである。このくさび形伝動工具において不利なことは、スプラインが原因で欠如してしまう無段階の角度調整である。
【０００４】
更に最新のくさび形伝動工具が例えば特許文献３の対象である。ドライバと、作動スライダと、スライダベッドという要素とを備えたこの種のくさび形伝動工具では、ドライバの水平方向のベースと、ドライバ及び駆動される作動スライダの一致する直線形ガイドとの間で、０°からほぼ６０°までの作動角度範囲が通常であり、スライダベッドにおける水平方向のプレススタンプ側の接続面と、スライダベッド及び駆動される作動スライダの一致する直線形ガイドとの間には、ほぼ５０°から０°までの駆動角度範囲が通常である。産業的に製作されるくさび形伝動工具では、前記の角度範囲内の鋭角は５°ごととしてのみ提供され、このことは、不利にも、設計者が構成をそれらの固定式で予め定められた角度に適合させなくてはならないことを意味する。不可能な適合においては、対応的に設定された角度をもつ新たなくさび形伝動工具が必要である。
【０００５】
従って、一方では構造上の必然性が、他方では僅かであるとは言えない手間と費用が短所である。
【０００６】
【特許文献１】ＵＳ１８１２０４６
【特許文献２】ＵＳ２４２１８６４
【特許文献３】ＵＳ６１６４１１５
【発明の開示】
【発明が解決しようとする課題】
【０００７】
本発明の基礎を成す課題は、作動スライダに対し、最大限可能な鋭角の範囲で、所望とされる各作動方向が、無段階の角度調整により割り当てられ得るように、くさび形伝動工具を形成することである。
【課題を解決するための手段】
【０００８】
前記の課題は、特許請求項１を用い、他の要素が、作動スライダに対して駆動作用するスライダベッドとして設けられていて、この際、要素の各々２つ、即ちドライバとスライダベッド又はドライバと作動スライダには、各々、双方でセグメントディスクが無段階で回転角度運動可能に配置されていること、及び、各々ペアとして回転軸線上に配置されている各要素のセグメントディスクが弦状の境界部に沿って、これらの接続部内に各々の要素のための一致する直線形ガイドが配置されているように、互いに相対回転不能に接続されていることにより解決される。
【０００９】
本発明を用い、有利にも簡単な構造により最新くさび形伝動工具で無段階の角度調節が達成されている。
【００１０】
本発明の他の長所は、ほぼ８５°までの拡大された作動角度範囲であり、この際、この角度範囲は、有利には２つの異なる大きな範囲に分割されている。そのために本発明の第１構成では、０°〜５５°のドライバ側の作動角度範囲と、スライダベッド側で対応的に適合可能な駆動角度範囲とを用い、作動スライダを無段階で角度調整するために、プレス側で制御されるスライダベッド、並びにドライバが、各々、無段階で回転角度運動可能なセグメントディスクのペアで装備されていて、この際、作動スライダは、一致する直線形ガイドを介し、セグメントディスク・ペアに対して相対的に、プレス制御されて摺動可能である。
【００１１】
より大きな角度範囲に関する本発明の第２構成では、５０°からほぼ８５°までのドライバ側の作動角度範囲と、スライダベッド側で対応的に適合可能な駆動角度範囲とを用い、作動スライダを無段階で角度調整するために、作動スライダもドライバも、各々、無段階で回転角度運動可能なセグメントディスクのペアで装備されていて、この際、作動スライダ内に配置されているセグメントディスク・ペアを介し、作動スライダが、プレススタンプの往復方向に対してスライダベッドにおいて横方向（左右方向）に指向されている直線形ガイドを介し、及び、ドライバ側のセグメントディスク・ペア内の直線形ガイドを介し、予め定められた作動角度のもと、摺動可能に配置されている。
【００１２】
十分に長い直線形ガイド並びに本発明に従う角度調整機構の安定した構造を達成するために、比較的大きな直径のセグメントディスクが、各々、予め定められた軸方向の強度のそれらの外周部を介し、各々の要素、即ちドライバ、スライダベッド、作動スライダ内で円弧形状に形成されているガイド内で回転角度運動可能に配置されている。
【００１３】
本発明に従うくさび形伝動工具は角度フィックスに関して複数の可能性を開く。１つの場合では、少なくとも１つの要素のセグメントディスクが、予め定められた作動方向に対して固定された作動角度において取外し可能に要素においてフィックスされている。このことは、産業的に製作された本発明に従うくさび形伝動工具の顧客に対し、各々別個に適合された取外し可能なフィックスにより、この工具を別の角度設定のためにも使用することを可能にする。それに対し、くさび形伝動工具において一度固定された作動角度が不変に留まるのであれば、該当する角度設定は、取外し不能なフィックスを用いて保護され得る。本発明に従うくさび形工具の量産は、有利には、異なる角度設定手段を取り除くことによりセグメントディスクを用いることで容易化される。
【００１４】
最後に、本発明に従うくさび形伝動工具を用い、汎用的な角度フィックスが、要素のセグメントディスクが力拘束的／摩擦拘束的な遮断装置を用いて無段階の各角度設定として取外し可能にフィックスされ得ることにより達成される。遮断装置としては、クランプ手段、自己抑制式伝動装置、弓形状の長穴を用いてセグメントディスクと協働するクランプねじ、又は、各々の要素において弓形状で摺動可能及びクランプ可能に配置されている対向部材と協働する、セグメントディスクに配置された弓形噛合部である。
【発明を実施するための最良の形態】
【００１５】
図面に描かれている例に基づいて本発明を説明する。
【実施例１】
【００１６】
図１〜図３に示されている、非図示のプレス内で非図示の板金加工品をカットフリー成形するためのくさび形伝動工具１は、周知のごとく、要素として、プレススタンプと固定接続されているスライダベッド２と、プレステーブル上に固定配置されているドライバ３と、互いに鋭角で配置された一致する直線形ガイド４、５を介してスライダベッド２とドライバ３の間で摺動可能に設けられている作動スライダ６とを含んでいて、この作動スライダ６は、例えば、板金加工品を穿孔するための摺動方向に指向する穿孔スタンプ７を装備している。
【００１７】
作動スライダ６を本発明に従って無段階で角度調整可能に実施するために、要素の２つ、即ちスライダベッド２とドライバ３には、各々、双方でセグメントディスク（部分円弧形ディスク）８及び９が無段階で回転角度運動可能に配置されていて、この際、各々ペアとして回転軸線１０、１１上に配置されている各要素２、３のセグメントディスク８、９は弦状の境界部１２、１３に沿って、これらの接続部１４、１５内に各々の要素２、３、６のための一致する直線形ガイド４、５が配置されているように、互いに相対回転不能に接続されている。
【００１８】
本発明により、全体として０°からほぼ８５°までの鋭角が作動スライダ６のための作動角度において可能である。しかしこれは唯一のセグメントディスク・配置構成によってではない。
【００１９】
従って上記の作動角度範囲は２つの異なる大きな部分範囲に分割され、この際、０°からほぼ５５°までのドライバ側の作動角度範囲と、スライダベッド側で対応的に適合可能な駆動角度範囲とを用い、作動スライダ６を無段階で角度調整するために、プレス側で制御されるスライダベッド２、並びにドライバ３が、各々、無段階で回転角度運動可能なセグメントディスク８及び９のペアで装備されていて、この際、作動スライダ６は、一致する直線形ガイド４、５を介し、矢印「ｆ」に従う作動方向における作動スライダ６の運動を達成するために矢印「ｄ」及び「ｅ」に従い、セグメントディスク・ペア８；９に対して相対的に、プレス制御されて摺動可能である。
【００２０】
図１では、本発明をより明確にするために単に原理的なものとして描かれたくさび形伝動工具１における作動スライダ６の作動方向が、水平方向に或いはドライバ３を支持する非図示のプレステーブルに対して平行に指向されていて、この際、この指向付けは作動角度０°に割り当てられている。図２では作動スライダ６が、水平線に対して或いは水平方向のプレステーブルに対して２５°の鋭角の作動角度で指向されていて、それに対し、図３における作動スライダ６のためには５０°の鋭角の作動角度が選択されている。本発明に従い、作動スライダ６のために０°とほぼ５５°の間の各作動角度が無段階で選択可能である。
【実施例２】
【００２１】
それを超える鋭角の作動角度を達成するためには、図４及び図５に従い、５０°からほぼ８５°までのドライバ側の作動角度範囲と、スライダベッド側で対応的に適合可能な駆動角度範囲とを用い、くさび形伝動工具１’の作動スライダ６’を無段階で角度調整するために、作動スライダ６’もドライバ３’も、各々、無段階で回転運動可能なセグメントディスク８’及び９’のペアで装備されている。図１〜図３のくさび形伝動工具１と異なり、より大きな作動角度範囲を達成するために、セグメントディスク・ペア８’がスライダベッド２’内ではなく作動スライダ６’内に回転運動可能に配置されている。この際、作動スライダ６’内に配置されているセグメントディスク・ペア８’を介し、作動スライダ６’が、プレススタンプ１６の矢印「ｃ」に従う往復方向に対してスライダベッド２’において横方向（左右方向）に指向されている直線形ガイド４を介し、及び、ドライバ側のセグメントディスク・ペア９’内の直線形ガイド５を介し、摺動可能に配置されている。
【００２２】
更に角度調整装置の安定構造は、比較的大きな直径のセグメントディスク８、８’；９、９’が、各々、予め定められた軸方向の強度のそれらの外周部を介し、各々の要素２、３；３’、６’内で円弧形状に形成されているガイド１７、１８、１９内で回転角度運動可能に支持されていることにより達成される。
【００２３】
大量生産されるくさび形伝動工具１及び１’のために、少なくとも１つの要素２、３；３’、６’のセグメントディスク８、８’；９、９’は、予め定められた唯一の作動方向に対して固定された作動角度で取外し可能である、又は各々の要素２、３；３’、６’において取外し不能にフィックスされ得る。
【００２４】
それに対し、ドライバ側の作動角度が頻繁に交換される、大量生産されるくさび形伝動工具１及び１’のためには、要素２、３；３’、６’のセグメントディスク８、８’；９、９’が、力拘束的／摩擦拘束的に及び／又は形状拘束的に作用する遮断装置（非図示）を用い、無段階の各角度設定として、取外し可能にフィックスされていることが提案される。
【００２５】
図１から図３で原理的に示されているくさび形伝動工具１に、図６に実際の構成で示されているくさび形伝動工具１が対応し、このくさび形伝動工具１では、同一である構成部材には同じ符号が付けられている。構造上の理由から配置不能であり要素２及び３のセグメントディスク８及び９を互いに相対回転不能に接続するシャフト又は別個の軸に代わり、前記セグメントディスク８、９の各々は組込式の追加的な弓形ガイド２０を有し、この弓形ガイド２０は、図７から詳細に見てとれるように、各々、スライダ２と或いはドライバ３にフィックスされているクランプ２１と滑り運動可能な接続状態にある。互いに接続されているセグメントディスク９のドライバ側の直線形ガイド５上で作動スライダ６を確実に保持するために、作動スライダ６には直線形ガイドレール２２が装備されていて、これらの直線形ガイドレール２２は、セグメントディスク９内に形状拘束的に固定されているクランプ２３と摺動運動可能な接続状態にある。これらのクランプ２３上への側方の負荷を回避するために、作動スライダ６及びセグメントディスク９の一致する直線形ガイド５は横断面でＶ字形状の側面形状を有する。
【００２６】
最後に図８は、スライダベッド２のセグメントディスク８と作動スライダ６との間の一致する直線形ガイド４の異なる構成を示している。この際、セグメントディスク８は、スライドレール２５を介在して共通の接続部材２４を介し、作動スライダ６に対して支持されている。作動スライダ６を成形過程後にスライダベッド２に対して相対的に戻すリターン装置は符号２６で示されている。
【００２７】
本発明により、上側に固定されている作動スライダのためにも下側に固定されている作動スライダのためにも所望の作動角度の有利な無段階設定が達成され、それから、実際に、ほぼ５５°及び８５°までの作動角度のための前記の両方の実施形へと、規格化されたくさび形スライダの数の減少が成される。
【図面の簡単な説明】
【００２８】
【図１】水平に指向された作動角度を有する、０°から５５°までの作動角度範囲のための本発明に従うくさび形伝動工具を示す図である。
【図２】２５°の作動角度を有する上記のくさび形伝動工具を示す図である。
【図３】５０°の作動角度を有するくさび形伝動工具を示す図である。
【図４】選択された５０°の作動角度を有する、５０°から８５°までの作動角度範囲のための他のくさび形伝動工具を示す図である。
【図５】設定された７５°の作動角度を有する上記のくさび形伝動工具を示す図である。
【図６】実際の実施における、図１〜図３で原理的に示されたくさび形伝動工具を示す図である。
【図７】図６のくさび形伝動工具の「ａ−ａ」に従う断面図である。
【図８】図６のくさび形伝動工具の「ｂ−ｂ」に従う断面図である。
【符号の説明】
【００２９】
１、１’            くさび形伝動工具
２、２’            スライダベッド
３、３’            ドライバ
４                  直線形ガイド
５                  直線形ガイド
６、６’            作動スライダ
７                  穿孔スタンプ
８、８’            セグメントディスク
９、９’            セグメントディスク
１０                  回転軸線
１１                  回転軸線
１２                  境界部
１３                  境界部
１６                  プレススタンプ
１７、１８、１９      ガイド
２０                  弓形ガイド
２１                  クランプ
２２                  直線形ガイドレール
２３                  クランプ
２４                  接続部材
２５                  スライドレール
２６                  リターン装置
【図１】
2007504008.tif 000003
【図２】
2007504008.tif 000004
【図３】
2007504008.tif 000005
【図４】
2007504008.tif 000006
【図５】
2007504008.tif 000007
【図６】
2007504008.tif 000008
【図７】
2007504008.tif 000009
【図８】
2007504008.tif 000010
【国際調査報告】
2007504008.tif 000011
2007504008.tif 000012
2007504008.tif 000013
2007504008.tif 000014
2007504008.tif 000015
2007504008.tif 000016